(57)【特許請求の範囲】
【請求項１】
棒状に形成された第１端子金具と、前記第１端子金具を収容する筒状の第１ハウジングと、前記第１端子金具と前記第１ハウジングとの間に設けられ、前記第１端子金具を挿通可能な孔部が形成された前記第１端子金具の長手方向に沿ってスライド自在な接触防止ハウジングと、を有する第１コネクタと、
前記第１端子金具に接続される第２端子金具と、前記第２端子金具を収容し、前記第１ハウジングに嵌合する第２ハウジングと、有する第２コネクタと、を備えたコネクタユニットにおいて、
前記接触防止ハウジングには、一端が当該接触防止ハウジングの外周に固定され、他端が前記長手方向の前記第２コネクタから離れた側に向かって延在する自由端となり前記第１ハウジングに係止して前記接触防止ハウジングのスライドを規制する突っ張りばねが、設けられ、
前記突っ張りばねには、前記一端から前記他端に向かうにしたがって前記接触防止ハウジングから離れる方向に傾斜するテーパ部と、該テーパ部の前記他端が前記接触防止ハウジング側に曲げられて形成された係止部と、が設けられ、
前記第２ハウジングには、前記第１ハウジングに近付けると前記突っ張りばねと前記第１ハウジングとの間に進入して、前記テーパ部を前記接触防止ハウジング側に向かって押すことで、前記突っ張りばねの前記係止部と前記第１ハウジングとの係止を解除して、前記接触防止ハウジングをスライド可能にする進入部が設けられ、
前記接触防止ハウジングの外周に取り付けられた戻りばねを備え、
前記第１ハウジングの内周には、前記第２コネクタから離れた側に向かうにしたがって、前記第１端子金具側に傾斜する傾斜面が設けられ、
前記戻りばねには、前記傾斜面に当接するように該傾斜面に向かって突出した当接部が設けられていることを特徴とするコネクタユニット。
【請求項２】
前記突っ張りばねは、金属からなることを特徴とする請求項１に記載のコネクタユニット。
【発明の詳細な説明】
【技術分野】
【０００１】
本発明は、感電防止を図ったコネクタユニットに関する。
【背景技術】
【０００２】
モータの駆動力により走行することが可能な移動体としての自動車には、当該モータや、インバータなどの多種多様な電子機器が搭載される。これらのモータや、インバータを互いに接続するためには、従来から種々のコネクタユニットが用いられている。
【０００３】
図１２は、従来のコネクタユニットを示す斜視図である。同図に示されたコネクタユニット１１０は、棒状に形成された複数のオス端子１０３と、複数のオス端子１０３を突出するように取り付けるオスハウジング１０４と、接触防止ハウジング１０５と、有する第１コネクタ１０１と、各オス端子１０３に接続される複数のメス端子１０９と、各メス端子１０９を収容するための複数の収容部１１２が設けられ、オスハウジング１０４に嵌合する、樹脂性のメスハウジング１１１と、を有した第２コネクタ１０２と、を備えている。図１２中の矢印Ｙ方向は、オス端子１０３の長手方向、及び、接触防止ハウジング１０５がスライドする方向を示し、矢印Ｘ方向は、複数のオス端子１０３、及び、複数の収容部１１２が並ぶ方向を示している。
【０００４】
上述した第１コネクタ１０１は、作業者が、これらコネクタ１０１、１０２同士を嵌合する際に、オス端子１０３を触ってしまうことで、感電することがないように、接触防止ハウジング１０５が、オスハウジング１０４から突出したオス端子１０３の露出した部分に、矢印Ｙ方向に沿ってスライド自在に取り付けられている。
【０００５】
上記オス端子１０３の第２コネクタ１０２側の先端部には、該オス端子１０３から凸に形成された係止受け部１３１が設けられている。上記接触防止ハウジング１０５には、前記係止受け部１３１に係止して、該接触防止ハウジング１０５がオスハウジング１０４に近付く方向（矢印Ｙ方向）にスライドされることを防止するための係止アーム１５１が設けられている。上記係止アーム１５１は、矢印Ｙ方向に沿って延びて、係止受け部１３１から離れる方向と近付く方向に撓むアーム部１５２と、前記アーム部１５２の先端部から矢印Ｘ方向に突出し、前記係止受け部１３１の第２コネクタ１０１側に設けられ、該係止受け部１３１に係止する係止部１５３と、を備えている。
【０００６】
上記メスハウジング１１１の収容部１１２には、該収容部１１２から、オスハウジング１０４に向かって突出するように設けられ、係止アーム１５１の係止受け部１３１に対する係止を解除するための解除突起１１３が設けられている。この解除突起１１３は、係止アーム１５１の係止部１５３に当接された後、該解除突起１１３が係止アーム１５１に当接された状態で、さらに、メスハウジング１１１（第２コネクタ１０２）をオスハウジング１０４（第１コネクタ１０１）に近付けると、解除突起１１３が、該係止アーム１５１のアーム部１５２を係止受け部１３１から離れる方向に撓ませることで、係止部１５３の係止受け部１３１に対する係止を解除する。また、係止アーム１５１の係止受け部１３１に対する係止が解除されると、接触防止ハウジング１０５を、スライド可能にする。（例えば、特許文献１参照）。
【先行技術文献】
【特許文献】
【０００７】
【特許文献１】特開２００９−３０１８５７号公報
【発明の開示】
【発明が解決しようとする課題】
【０００８】
しかしながら、上述した従来のコネクタユニット１１０には、以下に示す問題があった。即ち、従来のコネクタユニット１１０においては、例えば、作業者が、誤って、接触防止ハウジング１０５を、オスハウジング１０４に向かって押してしまった際には、係止アーム１５１に、矢印Ｙ方向に沿う力がかけられることとなり、よって、該係止アーム１５１（係止部１５３）が折れてしまう虞れがあった。さらに、係止アーム１５１が折れてしまうことで、作業者は、オス端子１０３が露出された状態で作業することとなり、該作業者が露出されたオス端子１０３に誤って触ってしまうことで、該作業者が感電してしまう虞れがあった。
【０００９】
また、解除突起１１３が係止アーム１５１に当接された状態で、該アーム部１５２を係止受け部１３１から離れる方向に撓ませることで、係止アーム１５１の係止受け部１３１に対する係止を解除しているので、解除突起１１３によって、アーム部１５２を、係止受け部１３１から離れる方向に撓ませるために大きな力が必要であり、作業者に肉体的な負担を強いていた。さらに、アーム部１５２を、係止受け部１３１から離れる方向に撓ませるために、大きな力でメスハウジング１１１（第２コネクタ１０２）を接触防止ハウジング１０５に向かって押し付けるので、メスハウジング１１１（第２コネクタ１０２）を接触防止ハウジング１０５に向かって押し付けることで解除突起１１３が折れてしまう虞れがあった。さらに、アーム部１５２を係止受け部１３１から離れる方向に撓ませるには、該アーム部１５２の樹脂撓みを利用しなければならず、耐熱後では、クリープ現象が起こり、係止力が低下する虞れがあった。
【００１０】
そこで、本発明は、作業者の感電防止を図ったコネクタユニットを提供することを目的とする。
【課題を解決するための手段】
【００１１】
請求項１に記載の本発明は、棒状に形成された第１端子金具と、前記第１端子金具を収容する筒状の第１ハウジングと、前記第１端子金具と前記第１ハウジングとの間に設けられ、前記第１端子金具を挿通可能な孔部が形成された前記第１端子金具の長手方向に沿ってスライド自在な接触防止ハウジングと、を有する第１コネクタと、前記第１端子金具に接続される第２端子金具と、前記第２端子金具を収容し、前記第１ハウジングに嵌合する第２ハウジングと、有する第２コネクタと、を備えたコネクタユニットにおいて、前記接触防止ハウジングには、一端が当該接触防止ハウジングの外周に固定され、他端が前記長手方向の前記第２コネクタから離れた側に向かって延在する自由端となり前記第１ハウジングに係止して前記接触防止ハウジングのスライドを規制する突っ張りばねが、設けられ、  前記突っ張りばねには、前記一端から前記他端に向かうにしたがって前記接触防止ハウジングから離れる方向に傾斜するテーパ部と、該テーパ部の前記他端が前記接触防止ハウジング側に曲げられて形成された係止部と、が設けられ、前記第２ハウジングには、前記第１ハウジングに近付けると前記突っ張りばねと前記第１ハウジングとの間に進入して、前記テーパ部を前記接触防止ハウジング側に向かって押すことで、前記突っ張りばねの前記係止部と前記第１ハウジングとの係止を解除して、前記接触防止ハウジングをスライド可能にする進入部が設けられ、前記接触防止ハウジングの外周に取り付けられた戻りばねを備え、前記第１ハウジングの内周には、前記第２コネクタから離れた側に向かうにしたがって、前記第１端子金具側に傾斜する傾斜面が設けられ、前記戻りばねには、前記傾斜面に当接するように該傾斜面に向かって突出した当接部が設けられていることを特徴とする。
【００１２】
請求項２に記載の本発明は、請求項１に記載の本発明において、前記突っ張りばねは、金属からなることを特徴としている。
【発明の効果】
【００１４】
請求項１に記載の本発明によれば、突っ張りばねの他端が、第１ハウジングに係止した状態、即ち、接触防止ハウジングが、接触防止位置に位置付けられた状態で、作業者が、接触防止ハウジングを指で押してしまった際においても、突っ張りばねによって、接触防止ハウジングのスライドが規制されているので、第１端子金具が露出されることがなくなり、よって、作業者が、第１端子金具に接触することがなくなるので、感電防止を図ったコネクタユニットを提供することができる。
【００１５】
また、作業者が、接触防止ハウジングを指で押してしまった際においても、突っ張りバネが撓むことで、接触防止ハウジングにかかる力を押し返すので、従来のように、係止アームが折れることがなくなることとなり、よって、突っ張りばねによって、接触防止ハウジングを接触防止位置に位置付けるための強度を確保することができる。
【００１６】
また、進入部が、突っ張りばねと第１ハウジングとの間に進入して、テーパ部を接触防止ハウジング側に向かって押すことで、突っ張りばねと第１ハウジングとの係止を解除して、接触防止ハウジングをスライド可能にするので、突っ張りばねの第１ハウジングに係止した他端が、第１ハウジングの内側に位置をずらされることで、突っ張りばねと第１ハウジングとの係止が解除されることとなり、よって、従来よりも、小さな力で（即ち、容易に）、突っ張りばねと第１ハウジングとの係止を解除することができる。
また、突っ張りばねの他端と第１ハウジングとの係止が解除された後、接触防止ハウジングが、スライド可能な状態で、第２コネクタを第１コネクタから離脱させた（取り外した）際においても、戻りばねの反力によって、接触防止ハウジングが、第２ハウジング（第２コネクタ）に向かってを押し戻されることとなり、接触防止ハウジングが、第２ハウジング（第２コネクタ）に向かってを押し戻されることで、該接触防止ハウジングが、接触防止位置に位置付けられると、第１端子金具が露出されることがなくなり、よって、作業者が、第１端子金具に接触することがなくなるので、より一層、感電防止を図ることができる。また、例えば、コイルバネを用いずとも、接触防止ハウジングが、第２ハウジング（第２コネクタ）に向かって押し戻されることで、該接触防止ハウジングが、接触防止位置に位置付けられるとなり、よって、構成を簡単にするとともに、コストダウンを図ることができる。
【００１７】
請求項２に記載の本発明は、前記突っ張りばねは、金属からなるので、第１端子金具に電流が流れることで発熱し、発熱した第１端子金具によって、該突っ張りばねが耐熱した際においても、従来の樹脂からなる係止アームに比べて、反りやねじれによる劣化が緩和されることとなり、よって、長期に亘り使用することを可能とすることができる。
【図面の簡単な説明】
【００２０】
【図１】本発明の一実施の形態に係るコネクタユニットを構成する第１コネクタを示す斜視図である。
【図２】図１に示されたコネクタユニットを構成する第１コネクタの分解斜視図である。
【図３】図２に示された第１コネクタを構成する接触防止部を示す斜視図である。
【図４】（ａ）は、図１中のＩ−Ｉ線に沿う断面図であり、（ｂ）は、（ａ）の要部を拡大して示す拡大図である。
【図５】図４中のＩＩ−ＩＩ線に沿う断面図である。
【図６】（ａ）は、図１に示された第１コネクタに第２コネクタが近付けられて、突っ張りばねの係止が解除された状態を示す断面図であり、（ｂ）は、（ａ）の要部を拡大して示す拡大図である。
【図７】図６中のＩＩＩ−ＩＩＩ線に沿う断面図である。
【図８】図６に示された突っ張りばねの係止が解除された状態で、第１コネクタに第２コネクタが近付けられた様子を示す断面図である。
【図９】図８中のＩＶ−ＩＶ線に沿う断面図である。
【図１０】図８に示された突っ張りばねの係止が解除された状態で、第１コネクタから第２コネクタが引き離される様子を示す断面図である。
【図１１】（ａ）は、図１０中のＶ−Ｖ線に沿う断面図であり、（ｂ）は、（ａ）の要部を拡大して示す拡大図である。
【図１２】従来のコネクタユニットを示す斜視図である。
【発明を実施するための形態】
【００２１】
以下、本発明の一実施の形態にかかるコネクタユニットを、図１乃至図１１を参照しながら説明する。図１、図２などに示されたコネクタユニット２０は、棒状に形成された第１端子金具としての複数のオス端子３と、複数のオス端子３をそれぞれ収容するための複数の収容部４０が設けられた第１ハウジングとしてのオスハウジング４と、オス端子３と収容部４０との間に設けられ、オス端子３を挿通可能な孔部５ａが形成され、オス端子３の長手方向(矢印Ｙ方向)に沿ってスライド自在な複数の接触防止部５と、各接触防止部５と各収容部４０との間に取り付けられる複数のシールド部材８と、を有する第１コネクタ１と、各オス端子３に接続される第２端子金具としての複数のメス端子９と、複数のメス端子９それぞれ収容するための複数のメス収容部１１が設けられ、オスハウジング４に近付けられて嵌合する第２ハウジングとしてのメスハウジング１０（図６に示す）と、を有する第２コネクタ２と、を備えている。また、図１、図２では、第２コネクタ２は、省略されている。
【００２２】
また、コネクタユニット２０は、自動車に搭載される電子機器としてのインバータ、モータ間に設けられ、これらインバータとモータとを電気的に接続している。また、これらコネクタ１、２同士が嵌合することで、バッテリからの電力が、インバータを介してモータに供給される。
【００２３】
また、図１などに示された矢印Ｙ方向は、各オス端子３の長手方向、及び、第２コネクタ２が第１コネクタ１に進入する（近付く）方向を示し、矢印Ｘ方向は、第１コネクタ１に設けられた複数の収容部４０が並ぶ方向を示し、矢印Ｚ方向は、矢印Ｙ方向と矢印Ｘ方向との双方に対して交差する方向を示している。
【００２４】
上記オス端子３は、導電性の板金に、打ち抜き加工と曲げ加工が施されることで得られるものである。また、各オス端子３それぞれは、図２に示すように、棒状に形成されたタブ３０と、前記タブ３０の端部に、矢印Ｘ方向に突出するように設けられ、該タブ３０を例えば、前記電子機器としてのインバータに接続された機器側バスバ１３に取り付ける取付部３１と、を備えている。
【００２５】
上記オスハウジング４は、互いに連結された複数の収容部４０と、これら複数の収容部４０を前記電子機器としてのインバータのケース部に取り付けるための取付部４１と、を備えている。
【００２６】
上記複数の収容部４０は、矢印Ｘ方向に沿って並んでいる。また、各収容部４０は、図２、図４に示すように、筒状に形成された第１本体部４２と、第１本体部４２の内側に設けられ、前述した各タブ３０を内側に位置付けて、各タブ３０が動かぬように固定するために筒状に形成された内側筒部４３と、第１本体部４２に連なり、第１本体部４２、及び、第１本体部４２の内側に設けられた内側筒部４３の、矢印Ｙ方向の第２コネクタ２側に設けられた第２本体部４４と、を一体に備えている。
【００２７】
上記第１本体部４２の矢印Ｙ方向の長さは、図４に示すように、内側筒部４３よりも長く形成されており、該第１本体部４２（の端部）は、内側筒部４３よりも、矢印Ｙ方向の第２コネクタ２側に突出するように設けられている。また、第１本体部４２は、前記インバータのケース部と相対する位置に設けられ、互いに対向する一対の対向壁部４５と、前記一対の対向壁部４５同士を連結する一対の第１側壁部４６と、によって筒状に形成されている。
【００２８】
上記第１側壁部４６の内周には、図５に示すように、矢印Ｙ方向の第２コネクタ２から離れた側に向かうにしたがって、オス端子３に近付く方向に傾斜する（内側に向かって傾斜する）傾斜面４６ａが設けられている。
【００２９】
上記第２本体部４４は、一対の対向壁部４５のうち、電子機器としてのインバータから離れた側の他方の対向壁部４５に連なる天壁部４７と、天壁部４７に連なる一対の第２側壁部４８と、によって樋状に形成されている。一対の第２側壁部４８それぞれは、前述した一対の第１側壁部４６それぞれに連なっている。
【００３０】
上記天壁部４７には、図４に示すように、該天壁部４７の、他方の対向壁部４５（第１本体部４２）側の端部に設けられ、該天壁部４７から内方向に突出した係止受け部４９が設けられている。上記係止受け部４９は、突っ張りばね６の後述する係止部６３に係止する。
【００３１】
上記接触防止部５は、図３に示すように、接触防止ハウジング５１と、突っ張りばね６と、一対の戻りばね７と、を一体に備えている。
【００３２】
上記接触防止ハウジング５１は、各オス端子３を覆うように設けられ、かつ、オス端子３のタブ３０を挿通可能な孔部５ａが形成されている。また、接触防止ハウジング５１は、オス端子３に通されると、前記長手方向（矢印Ｙ）に沿ってスライド自在に設けられている。また、接触防止ハウジング５１は、各オス端子３とオスハウジング４（収容部４０）との間に設けられている。また、接触防止ハウジング５１は、図３、図４に示すように、天壁部４７と相対する位置に位置付けられる天板部５２と、天板部５２と対向する底板部５３と、オスハウジング４に設けられた一対の第２側壁部４８と相対する位置に位置付けられる一対の側板部５４と、によって、筒状に形成されている。また、接触防止ハウジング５１は、図示しない前抜け防止手段によって、オスハウジング４に取り付けられる。
【００３３】
上記天板部５２には、図３に示すように、該天板部５２の外表面から突出した第１埋設部５５が設けられている。この第１埋設部５５は、天板部５２の矢印Ｙ方向の第２コネクタ２側の端部に設けられており、該第１埋設部５５には、突っ張りばね６の一端が埋設されている。
【００３４】
上記一対の側板部５４それぞれには、図３に示すように、一対の張出部５７と、第２埋設部５８と、が設けられている。また、各側板部５４の、矢印Ｙ方向の第２コネクタ２から離れた側の端部には、矩形状に切り欠かれた切り欠き部５９が設けられている。
【００３５】
上記一対の張出部５７は、該側板部５４の矢印Ｚ方向の両端部に設けられ、該側板部５４の矢印Ｙ方向に沿って延在している。また、各張出部５７は、該天板部５２の外表面から突出している。
【００３６】
上記第２埋設部５８は、一対の張出部５７間に設けられている。また、第２埋設部５８は、切り欠き部５９よりも、矢印Ｙ方向の第２コネクタ２側に、該切り欠き部５９と並ぶ位置に設けられている。また、第２埋設部５８は、各側板部５４の外表面から突出している。第２埋設部５８には、戻りばね７の一端が埋設されている。
【００３７】
上記突っ張りばね６は、導電性の板金に、打ち抜き加工や曲げ加工が施されることで得られるものである。また、突っ張りばね６は、図３、図４に示すように、一端が前述した第１埋設部５５に埋設されることで、該接触防止ハウジング５１の外周に固定されて、接触防止ハウジング５１に取り付けられており、他端が、前記長手方向（矢印Ｙ方向）の第２コネクタ２から離れた側に向かって延在する自由端となっており、前記一端から前記他端に向かうにしたがって、接触防止ハウジング５１から離れるように傾斜したテーパ部６２と、前記テーパ部６２の端部（前記他端）から接触防止ハウジング５１に向かって突出するように、該接触防止ハウジング５１に向かって曲げられた係止部６３と、を備えている。また、係止部６３と接触防止ハウジング５１との間は、隙間があくように設けられており、突っ張りばね６は、矢印Ｚ方向に弾性変形自在に設けられている。
【００３８】
上記係止部６３は、前述したオスハウジング４の係止受け部４９に係止して、接触防止ハウジング５１の、矢印Ｙ方向のオス端子３の根元（即ち、取付部３１）側へのスライドを規制する。また、本明細書では、係止部６３が、前述したオスハウジング４の係止受け部４９に係止した状態、即ち、接触防止ハウジング５１のスライドを規制された状態で、該接触防止ハウジング５１が位置付けられた位置を「接触防止位置」という。
【００３９】
上記一対の戻りばね７は、導電性の板金に、打ち抜き加工や曲げ加工が施されることで得られるものである。また、戻りばね７は、図３、図５に示すように、一端が前述した第２埋設部５８に埋設されることで、該接触防止ハウジング５１の外周に固定されて、接触防止ハウジング５１に取り付けられており、他端が、前記長手方向（矢印Ｙ方向）の第２コネクタ２から離れた側に向かって延在する自由端となっており、該他端には、前記傾斜面４６ａに当接するように該傾斜面４６ａ（外方向）に向かって突出した当接部７２が設けられている。また、戻りばね７は、矢印Ｘ方向に弾性変形自在に形成されている。また、当接部７２の内側には、前述した接触防止ハウジング５１の切り欠き部５９が設けられており、当接部７２が内側に撓むと、該当接部７２は、切り欠き部５９の内側に通される。
【００４０】
上記シールド部材８は、導電性の板金からなり、外側に電気的なノイズが漏洩することを規制する。また、シールド部材８は、オスハウジング４と、接触防止部５との間に設けられ、オスハウジング４の第２本体部４４の内側に取り付けられている。また、シールド部材８は、オス端子３を覆うように樋状に形成された本体部８０と、第２本体部４４（オスハウジング４）に取り付けるための複数の爪部８１と、を備えている。
【００４１】
上記メス収容部１１には、該メス収容部１１から第１コネクタ１に向かって突出するように設けられ、接触防止ハウジング５１とオスハウジング４（第１本体部４２）との間に進入する進入部１２が設けられている。この進入部１２は、突っ張りばね６とオスハウジング４（収容部４０）との間に進入して、テーパ部６２を接触防止ハウジング５１に向かって押すことで、突っ張りばね６の係止部６３とオスハウジング４（収容部４０）との係止を解除して、接触防止ハウジング５１をスライド可能にする。
【００４２】
上述したコネクタユニット２０の第１コネクタ１の組立手順について、図４、図５を参照しながら説明する。さらに、オスハウジング４の取付部４１にボルトをねじ込んで、該オスハウジング４を前記電子機器としてのインバータのケース部に取り付ける。さらに、オスハウジング４の内側筒部４３に通されたオス端子３の取付部３１と機器側バスバ１３とを重ねた後、ボルトを用いて、該オス端子３を機器側バスバ１３に取り付ける。さらに、接触防止部５の天板部５２と、オスハウジング４の天壁部４７と、を相対する位置に位置付けて、オス端子３のタブ３０に接触防止ハウジング５１の孔部５ａを通し、接触防止ハウジング５１を、前抜け防止手段によって、オスハウジング４に取り付ける。すると、突っ張りばね６の係止部６３が、係止受け部４９に係止する。こうして、突っ張りばね６は、接触防止ハウジング５１の矢印Ｙ方向の第２コネクタ２から離れた側へのスライドを規制する。この際、図５に示すように、戻りばね７の当接部７２は、傾斜面４６ａに当接されている。こうして、オス端子３がオスハウジング４に取り付けられる。こうして、第１コネクタ１が組み立てられる。
【００４３】
続いて、第１コネクタ１と第２コネクタ２とが嵌合する際の嵌合方法について、図６、図７、図８、図９を参照しながら説明する。上述したように組み立てられた第１コネクタ１に、第２コネクタ２を近付ける。すると、第２コネクタ２の進入部１２が、突っ張りばね６とオスハウジング４（収容部４０）との間に進入する。さらに動かすと、進入部１２が、突っ張りばね６のテーパ部６２に当接した後、該進入部１２が、テーパ部６２を接触防止ハウジング５１に向かって押すこととなり、進入部１２によって、接触防止ハウジング５１が押されることで、係止部６３が、収容部４０（オスハウジング４）の内側に、該係止部６３が、係止受け部４９に係止しない位置に位置をずらされる。すると、図６に示すように、突っ張りばね６の係止部６３とオスハウジング４の係止受け部４９との係止が解除されて、接触防止ハウジング５１は、矢印Ｙ方向の第２コネクタ２から離れた側に向かってスライド可能となる。
【００４４】
さらに、接触防止ハウジング５１が、矢印Ｙ方向の第２コネクタ２から離れた側に向かってスライド可能な状態で、第２コネクタ２を動かすと、接触防止部５が、第２コネクタ２によって、矢印Ｙ方向の第２コネクタ２から離れた側に向かって押されることとなり、図１１に示すように、傾斜面４６ａは、矢印Ｙ方向の第２コネクタ２から離れた側に向かうにしたがって、オス端子３に近付くように傾斜しているので、戻りばね７の反力Ｆが、該傾斜面４６ａに作用することなり、反力Ｆが、傾斜面４６ａに作用することで、反力Ｆと逆向きで大きさの等しい垂直抗力Ｎが発生することとなり、垂直抗力Ｎが発生することで、垂直抗力Ｎの分解成分Ｐに向かって力がかけられることとなり、分解成分Ｐに向かって力がかけられることで、当接部７２（戻りばね７）は、分解成分Ｐ、即ち、矢印Ｙ方向の第２コネクタ２側に向かって付勢する。
【００４５】
さらに、第２コネクタ２を動かすと、接触防止部５が矢印Ｙ方向の第２コネクタ２から離れた側に向かってスライドされる、とともに、接触防止部５がスライドされることでオス端子３が露出される。さらに動かすと、露出されたオス端子３が、第２コネクタ２のメス端子９の内側に進入されて、これら端子９、３同士が接続されて、これらコネクタ１、２同士が嵌合される（図８、図９に示す）。この際、戻りばね７は、矢印Ｙ方向の第２コネクタ２側に向かって付勢している。
【００４６】
また、これらコネクタ１、２同士が嵌合される前で、かつ、接触防止ハウジング５１が、矢印Ｙ方向の第２コネクタ２から離れた側に向かってスライド可能な状態（即ち、半嵌合状態）で、図１０、図１１に示すように、第２コネクタ２を第１コネクタ１から離脱させた（取り外した）際においても、戻りばね７は、矢印Ｙ方向の第２コネクタ２側に向かって付勢しているので、該戻りばね７によって、接触防止ハウジング５１が、矢印Ｙ方向の第２コネクタ２側に向かって押し戻されることとなり、接触防止ハウジング５１が、矢印Ｙ方向の第２コネクタ２側に向かって押し戻されることで、突っ張りばね６の係止部６３が、オスハウジング４の係止受け部４９に係止することとなり、接触防止ハウジング５１は、接触防止位置に位置付けられることとなる。
【００４７】
上述した実施形態によれば、棒状に形成された第１端子金具としてのオス端子３と、前記オス端子３を収容する筒状の第１ハウジングとしてのオスハウジング４と、前記オス端子３と前記オスハウジング４との間に設けられ、前記オス端子３を通す筒状に形成された前記オス端子３の長手方向（矢印Ｙ方向）に沿ってスライド自在な接触防止ハウジング５１と、を有する第１コネクタ１と、前記オス端子３に接続される第２端子金具としてのメス端子９と、前記メス端子９を収容し、前記オスハウジング４に嵌合するメスハウジング１０と、有する第２コネクタ２と、を備えたコネクタユニット２０において、前記接触防止ハウジング５１には、一端が当該接触防止ハウジング５１の外周に固定され、他端が前記長手方向（矢印Ｙ方向）の前記第２コネクタ２から離れた側に向かって延在する自由端となり前記オスハウジング４に係止して前記接触防止ハウジング５１のスライドを規制する突っ張りばね６が、設けられ、前記突っ張りばね６には、前記一端から前記他端に向かうにしたがって接触防止ハウジング５１から離れるように傾斜するテーパ部６２が設けられ、前記メスハウジング１０には、前記オスハウジング４に近付けると前記突っ張りばね６と前記オスハウジング４との間に進入して、前記テーパ部６２を前記接触防止ハウジング５１側に向かって押すことで、前記突っ張りばね６の前記他端と前記オスハウジング４との係止を解除して、前記接触防止ハウジング５１をスライド可能にする進入部１２が設けられているので、突っ張りばね６の他端が、オスハウジング４に係止した状態、即ち、接触防止ハウジング５１が、接触防止位置に位置付けられた状態で、作業者が、接触防止ハウジング５１を指で押してしまった際においても、突っ張りばね６によって、接触防止ハウジング５１のスライドが規制されているので、オス端子３が露出されることがなくなり、よって、作業者が、オス端子３に接触することがなくなるので、感電防止を図ったコネクタユニット２０を提供することができる。
【００４８】
また、作業者が、接触防止ハウジング５１を指で押してしまった際においても、突っ張りばね６が撓むことで、接触防止ハウジング５１にかかる力を押し返すので、従来のように、係止アーム１５１が折れることがなくなることとなり、よって、突っ張りばね６によって、接触防止ハウジング５１を接触防止位置に位置付けるための強度を確保することができる。
【００４９】
また、進入部１２が、突っ張りばね６とオスハウジング４との間に進入して、テーパ部６２を接触防止ハウジング５１側に向かって押すことで、突っ張りばね６とオスハウジング４との係止を解除して、接触防止ハウジング５１をスライド可能にするので、突っ張りばね６のオスハウジング４に係止した他端が、オスハウジング４の内側に位置をずらされることで、突っ張りばね６とオスハウジング４との係止が解除されることとなり、よって、従来よりも、小さな力で（即ち、容易に）、突っ張りばね６とオスハウジング４との係止を解除することができる。
【００５０】
また、前記突っ張りばね６は、金属からなるので、オス端子３に電流が流れることで発熱し、発熱したオス端子３によって、該突っ張りばね６が耐熱した際においても、従来の樹脂からなる係止アーム１５１に比べて、反りやねじれによる劣化が緩和されることとなり、よって、長期に亘り使用することを可能とすることができる。
【００５１】
また、前記接触防止ハウジング５１の外周に取り付けられた戻りばね７を備え、前記オスハウジング４の内周には、前記第２コネクタ２から離れた側に向かうにしたがって、前記オス端子３側に傾斜する傾斜面４６ａが設けられ、前記戻りばね７には、前記傾斜面４６ａに当接するように該傾斜面４６ａに向かって突出した当接部７２が設けられているので、突っ張りばね６の他端とオスハウジング４との係止が解除された後、接触防止ハウジング５１が、スライド可能な状態で、第２コネクタ２を第１コネクタ１から離脱させた（取り外した）際においても、戻りばね７の反力によって、接触防止ハウジング５１が、メスハウジング１０（第２コネクタ２）に向かってを押し戻されることとなり、接触防止ハウジング５１が、メスハウジング１０（第２コネクタ２）に向かってを押し戻されることで、該接触防止ハウジング５１が、接触防止位置に位置付けられると、オス端子３が露出されることがなくなり、よって、作業者が、オス端子３に接触することがなくなるので、より一層、感電防止を図ることができる。
【００５２】
また、例えば、コイルバネを用いずとも、接触防止ハウジング５１が、メスハウジング１０（第２コネクタ２）に向かって押し戻されることで、該接触防止ハウジング５１が、接触防止位置に位置付けられるとなり、よって、構成を簡単にするとともに、コストダウンを図ることができる。
【００５３】
なお、上述した実施形態によれば、突っ張りばね６の係止部６３は、オスハウジング４の係止受け部４９に係止するが、本発明はこれに限ったものではなく、係止受け部４９として、係止部６３に係止可能な、オスハウジング４の端面でもよい。
【００５４】
また、上述した実施形態によれば、突っ張りばね６は、金属によって構成されているが、本発明はこれに限ったものではなく、樹脂によって構成されていてもよい。
【００５５】
また、上述した実施形態によれば、戻りばね７は、金属によって構成されているが、本発明はこれに限ったものではなく、樹脂によって構成されていてもよい。
【００５６】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５７】
２０  コネクタユニット
１  第１コネクタ
２  第２コネクタ
３  オス端子（第１端子金具）
４  オスハウジング（第１ハウジング）
５ａ  孔部
６  突っ張りばね
７  戻りばね
９  メス端子（第２端子金具）
１０  メスハウジング（第２ハウジング）
１２  進入部
４９  係止受け部
５１  接触防止ハウジング
６２  テーパ部
６３  係止部（他端）
７２  当接部
【図１】
0005713642.tif 000002
【図２】
0005713642.tif 000003
【図３】
0005713642.tif 000004
【図４】
0005713642.tif 000005
【図５】
0005713642.tif 000006
【図６】
0005713642.tif 000007
【図７】
0005713642.tif 000008
【図８】
0005713642.tif 000009
【図９】
0005713642.tif 000010
【図１０】
0005713642.tif 000011
【図１１】
0005713642.tif 000012
【図１２】
0005713642.tif 000013